(57)【要約】      （修正有）【課題】給油設定や給油データの表示、給油データの管理等を携帯端末で行うことができ、車両管理を容易に行う。【解決手段】給油所システム１は、携帯端末３と給油機との間で互いに通信を行い、車両に対する給油を行う。携帯端末３は、車両に対する給油の設定情報を示す給油設定情報を生成し、給油機に対して送信すると共に、給油終了後に、給油結果を示す給油データを給油機から受信して表示する。給油機は、給油設定情報を携帯端末３から受信し、給油設定情報に基づき車両に対する給油を行い、給油終了後に、給油データを携帯端末３に対して送信する。また、携帯端末３は、給油機から受信した給油データに基づき、給油履歴や燃費・走行距離等の走行データを管理することができ、車両管理を容易に行うことができる。【選択図】図２
2013216332.tif 000002
【特許請求の範囲】
【請求項１】
携帯端末と給油機との間で互いに通信を行い、車両に対する給油を行う給油所システムであって、
車両に対する給油の設定情報を示す給油設定情報を生成し、前記給油機に対して送信すると共に、給油終了後に、給油結果を示す給油データを前記給油機から受信して表示する携帯端末と、
前記給油設定情報を前記携帯端末から受信し、該給油設定情報に基づき前記車両に対する給油を行い、給油終了後に、前記給油データを前記携帯端末に対して送信する給油機とを備えることを特徴とする給油所システム。
【請求項２】
前記携帯端末は、前記給油データに基づき、給油履歴を管理することを特徴とする請求項１に記載の給油所システム。
【請求項３】
外部の携帯端末と通信を行い、車両に対する給油を行う給油機であって、
車両に対する給油の設定情報を示す給油設定情報を外部の携帯端末から受信し、該給油設定情報に基づき前記車両に対する給油を行い、給油終了後に、給油結果を示す給油データを前記外部の携帯端末に対して送信することを特徴とする給油機。
【請求項４】
外部の給油機と通信を行い、車両に対する給油設定を行う携帯端末であって、
車両に対する給油の設定情報を示す給油設定情報を生成し、外部の給油機に対して送信すると共に、給油終了後に、給油結果を示す給油データを前記外部の給油機から受信して表示することを特徴とする携帯端末。
【請求項５】
前記給油データに基づき、給油履歴を管理することを特徴とする請求項４に記載の携帯端末。
【発明の詳細な説明】
【技術分野】
【０００１】
本発明は、給油所システム、給油機及び携帯端末に関し、特に、給油設定等の給油に関する各種情報の入力・管理が可能な給油所システム、給油機及び携帯端末に関する。
【背景技術】
【０００２】
近年、給油所においては、人件費の削減等で給油作業や自動車の窓拭き等のサービス作業を顧客自身が行うセルフサービス方式が広く採用されている。このようなセルフサービス方式の給油所では、給油機等に設けられた給油案内のための表示や音声に従って、顧客が給油機を操作して油種や給油量等の給油設定データを入力すると共に、給油終了後の料金精算を行う必要がある。
【０００３】
一方、最近では、スマートフォンや携帯電話等の携帯端末が普及している。このような携帯端末では、通話機能やインターネットを介してデータの送受信を行う情報端末の機能として利用されるだけでなく、携帯端末を利用するユーザにあった各種サービスが提供されている。
【０００４】
そこで、本発明者は、インターネット等の通信ネットワークを利用して、携帯端末から給油設定データを入力でき、料金精算処理の簡略化を図ることができる給油所システムを提案した（例えば、特許文献１）。
【０００５】
特許文献１に記載の給油所システムでは、給油所において、顧客が携帯電話機を操作して給油設定データを入力し、この給油設定データを通信ネットワークを介して給油情報統括センターに対して送信することにより、給油情報統括センターからの給油許可信号に基づき、給油所に設けられた給油機の設定を自動的に行う。これにより、顧客は、携帯電話機に入力した給油設定データに応じて給油を行うことができる。
【先行技術文献】
【特許文献】
【０００６】
【特許文献１】特開２００２−２３４６００号公報
【発明の概要】
【発明が解決しようとする課題】
【０００７】
しかし、特許文献１に記載の給油所システムにおいては、携帯電話機と給油情報統括センターとの間で行われる通信が、携帯電話機から給油情報統括センターに対する一方向のみであるため、給油に係る各種給油データをユーザが管理できず、給油データを有効に利用することができないという問題があった。
【０００８】
そこで、本発明は、上記従来の技術における問題点に鑑みてなされたものであって、給油設定や給油データの表示、給油データの管理等を携帯端末で行うことができ、車両管理を容易に行うことが可能な給油所システム、給油機及び携帯端末を提供することを目的とする。
【課題を解決するための手段】
【０００９】
上記目的を達成するため、本発明は、携帯端末と給油機との間で互いに通信を行い、車両に対する給油を行う給油所システムであって、車両に対する給油の設定情報を示す給油設定情報を生成し、前記給油機に対して送信すると共に、給油終了後に、給油結果を示す給油データを前記給油機から受信して表示する携帯端末と、前記給油設定情報を前記携帯端末から受信し、該給油設定情報に基づき前記車両に対する給油を行い、給油終了後に、前記給油データを前記携帯端末に対して送信する給油機とを備えることを特徴とする。
【００１０】
そして、本発明によれば、給油終了後に、給油結果を示す給油データを給油機から携帯端末に対して送信し、携帯端末で表示するため、車両に対する給油履歴等の車両管理を行うことが可能になる。
【００１１】
上記給油所システムにおいて、前記携帯端末は、前記給油データに基づき、給油履歴を管理することができる。これにより、車両に対する給油履歴や燃費・走行距離等の走行データを管理することができ、車両管理を容易に行うことができる。
【００１２】
また、本発明は、外部の携帯端末と通信を行い、車両に対する給油を行う給油機であって、車両に対する給油の設定情報を示す給油設定情報を外部の携帯端末から受信し、該給油設定情報に基づき前記車両に対する給油を行い、給油終了後に、給油結果を示す給油データを前記外部の携帯端末に対して送信することを特徴とする。本発明によれば、給油終了後に、給油データを外部の携帯端末に対して送信するため、外部の携帯端末による車両管理を行うことが可能になる。
【００１３】
また、本発明は、外部の給油機と通信を行い、車両に対する給油設定を行う携帯端末であって、車両に対する給油の設定情報を示す給油設定情報を生成し、外部の給油機に対して送信すると共に、給油終了後に、給油結果を示す給油データを前記外部の給油機から受信して表示することを特徴とする。本発明によれば、前記発明と同様に、外部の給油機から受信した給油データを表示するため、車両に対する給油履歴等の車両管理を行うことが可能になる。
【００１４】
上記携帯端末において、前記給油データに基づき、給油履歴を管理することができる。これにより、車両に対する給油履歴や燃費・走行距離等の走行データを管理することができ、車両管理を容易に行うことができる。
【発明の効果】
【００１５】
以上のように、本発明によれば、給油設定や給油データの表示、給油データの管理等を携帯端末で行うことができ、車両管理を容易に行うことが可能になる。
【図面の簡単な説明】
【００１６】
【図１】本発明に係る給油所システムを概略的に説明するための略線図である。
【図２】第１の実施形態による給油所システムについて説明するための略線図である。
【図３】第１の実施形態による携帯端末における表示画面について説明するための略線図である。
【図４】第１の実施形態による携帯端末における処理の流れについて説明するためのフローチャートである。
【図５】第１の実施形態による給油機における処理の流れについて説明するためのフローチャートである。
【図６】第１の実施形態によるＰＯＳにおける処理の流れについて説明するためのフローチャートである。
【図７】第２の実施形態による給油所システムについて説明するための略線図である。
【図８】第２の実施形態による携帯端末における表示画面について説明するための略線図である。
【図９】第２の実施形態による携帯端末における処理の流れについて説明するためのフローチャートである。
【図１０】第２の実施形態によるＰＯＳにおける処理の流れについて説明するためのフローチャートである。
【図１１】第２の実施形態による給油機における処理の流れについて説明するためのフローチャートである。
【発明を実施するための形態】
【００１７】
次に、本発明を実施するための形態について、図面を参照しながら詳細に説明する。
【００１８】
まず、第１の実施形態による給油所システムについて、図１を参照して概略的に説明する。この給油所システム１では、給油所１０に設置された給油機２と、給油する車両２０内の顧客が所持するスマートフォンや携帯電話等の携帯端末３との間で通信を行い、携帯端末３に入力された油種や給油量等の給油設定データに基づき、給油機２における給油設定を自動的に行う。
【００１９】
このとき、携帯端末３には、現在の給油状態の表示や、給油終了後に走行距離等のユーザデータを入力することによって燃費等の各種給油データを表示することができる。また、携帯端末３は、給油毎の給油データを記憶することができ、これによって、給油に関わる車両管理を携帯端末３で行うことができる。
【００２０】
図２は、第１の実施形態による給油所システム１を説明するための概略図であり、この給油所システム１は、１つ又は複数の給油所１０、１０、・・・と、各給油所１０全体を管理する本部３０と、売り上げの管理や給油金額の引き落とし等を行う精算会社４０とからなり、給油所１０、本部３０及び精算会社４０がインターネット等の通信ネットワークを介して互いに接続される。
【００２１】
給油所１０には、１つ又は複数の給油機２、２、・・・及びＰＯＳ（Point Of Sale system）４が設置される。この例では、４台の給油機２Ａ、２Ｂ、２Ｃ及び２Ｄが設置された場合を示す。尚、以下の説明において、特に区別する必要がない場合には、単に「給油機２」と称して説明する。
【００２２】
携帯端末３は、例えば、図示しない送受信手段を備え、給油機２との間で通信を行う。給油機２との通信は、例えば、ＷｉＦｉ（Wireless Fidelity；登録商標）やＢｌｕｅｔｏｏｔｈ（登録商標）等の無線通信によって行う。
【００２３】
携帯端末３は、様々な処理を実行するための各種アプリケーションをインストール可能な端末である。本発明では、車両２０に対する給油における油種・給油量等の設定や、給油中の給油状態、給油終了後の給油履歴等を表示可能な給油設定・データ管理アプリケーション（以下、「給油設定アプリ」とする）を後述するＰＯＳ４からダウンロードしてインストールすることができる。携帯端末３は、この給油設定アプリを用いて給油設定を行い、油種や給油量等の給油内容を示す給油設定データを生成し、給油機２に対して送信する。
【００２４】
さらに、携帯端末３は、給油中、給油設定アプリを操作することによって設定した油種や、現在の給油量等の給油状態を示す給油中データを給油機２から受信し、現在の給油状態を給油設定アプリを用いて表示する。さらにまた、携帯端末３は、給油終了時には、給油が終了したことを示す情報や、給油終了時点における給油量や単価、金額等の情報を含む給油終了データを給油機２から受信して記憶すると共に、給油設定アプリを用いて表示する。
【００２５】
このように、携帯端末３にインストールされる給油設定アプリでは、車両２０に対する給油に関する設定を行うことができると共に、給油中の給油量、金額等の表示や、給油日時や給油量、給油時点における走行距離等、過去の給油履歴の表示を行い、給油履歴を管理することができる。尚、給油設定アプリの操作画面等については、後述する。
【００２６】
携帯端末３は、給油機２との間で通信を行う場合に、各々に固有の識別情報を給油機２に対して送信する。識別情報としては、例えば、携帯端末３に対して固有に設定されたＭＡＣアドレス（Media Access Control Address）を用いることができる。
【００２７】
また、携帯端末３は、外部に設けられた精算会社４０とも通信を行い、給油の精算を行う際に必要な認証情報である精算認証情報や、料金を精算するための精算データを送信する。
【００２８】
給油機２は、例えば、レギュラーガソリン、ハイオクガソリン及び軽油等の複数の油種を給油可能なセルフサービス方式の装置であり、例えば、前面及び背面の各々に給油可能な給油機構（給油ノズル、表示器等）が設けられる。尚、給油機構については、一般的な給油機と同等であるため、説明を省略する。
【００２９】
給油機２は、顧客が所有する携帯端末３との間で無線通信を行うための送受信手段５を備える。ここで、給油機２は、給油所１０内に複数設置されると共に、上述したように、１つの給油機２に対して複数の給油機構が設けられる。そのため、携帯端末３が給油機２と通信を行う際には、複数の給油機２との通信が可能となる虞がある。そこで、第１の実施形態では、給油機２の送受信手段におけるアンテナの大きさや形状、指向性等を調整して通信距離を制限し、各々の給油機構に対する通信エリアが重複しないように設定する。
【００３０】
給油機２は、送受信手段５を介して携帯端末３に固有の識別情報であるＭＡＣアドレスを受信し、受信したＭＡＣアドレスに基づき、顧客の登録状態を判定するための登録者判定情報を生成する。そして、給油機２は、生成した登録者判定情報を送受信手段５を介してＰＯＳ４に送信する。
【００３１】
また、給油機２は、送受信手段５を介して携帯端末３から給油する油種や給油量等の給油内容を示す給油設定データを受信し、受信した給油設定データに基づき、油種や給油量等の給油設定を行い、車両２０に対する給油処理を行う。
【００３２】
さらに、給油機２は、車両２０に対する給油中に、設定された油種や現在の給油量等の給油状態を示す給油中データを生成し、送受信手段５を介して携帯端末３に送信する。また、給油機２は、給油終了時に、給油が終了したことを示す情報や、給油終了時点における給油量や単価、金額等の情報を含む給油終了データを、送受信手段５を介して携帯端末３に送信すると共に、給油量や単価、金額等が表示された給油伝票を発行する。
【００３３】
ＰＯＳ４は、例えば、図示しない送受信手段を備え、給油機２との間で通信を行うと共に、図示しない記憶手段を備え、顧客の氏名や生年月日等の個人に関する情報や、過去の給油履歴等の顧客データを記憶する。
【００３４】
ＰＯＳ４は、顧客が給油する際に、給油機２から送信された登録者判定情報を送受信手段を介して受信し、登録者判定情報に基づき顧客が登録済であるか否かの判定を行う。顧客が登録済であると判断した場合には、給油の設定を携帯端末３で行うための給油設定アプリを携帯端末３で駆動可能とするように設定する。
【００３５】
さらに、ＰＯＳ４は、給油機２から給油終了データを受信し、受信した給油終了データに基づき、油種や給油量等の給油データを、記憶手段に記憶された顧客データと関連付けて記憶する。
【００３６】
次に、携帯端末３にダウンロードされた給油設定アプリを起動した際に表示される画面について、図３を参照して説明する。携帯端末３では、起動した給油設定アプリを操作する際に、操作に応じて図３（ａ）〜図３（ｆ）に示す画面が表示される。
【００３７】
図３（ａ）は、給油の決済方法を選択するための画面３Ａを示す。画面３Ａには、決済方法を選択するための１つ又は複数の決済選択キーが表示され、表示された決済選択キーのうちいずれかを選択することにより、決済方法が決定される。例えば、この例では、決済選択キーとして、「スマホ」キー及び「現金」キーが表示される。「スマホ」キーが操作された場合には、携帯端末による決済が選択され、「現金」キーが操作された場合には、現金による決済が選択される。
【００３８】
また、画面３Ａには、決済選択キー以外に、携帯端末３との通信及び給油を行う給油機２Ａを示す情報や給油所の名称を示す情報が表示される。この例では、給油所の名称が「タツノ給油所」であり、給油対象となる給油機が「給油機２Ａ」であることを示す情報が表示される。
【００３９】
図３（ｂ）は、油種を選択するための画面３Ｂを示す。画面３Ｂには、油種を選択するための複数の油種選択キーが表示され、表示された油種選択キーのうちいずれかを選択することにより、油種が決定される。例えば、この例では、油種選択キーとして、「レギュラー」キー、「ハイオク」キー及び「軽油」キーが表示される。「レギュラー」キーが操作された場合には、油種としてレギュラーガソリンが選択され、「ハイオク」キーが操作された場合には、ハイオクガソリンが選択される。また、「軽油」キーが操作された場合には、油種として軽油が選択される。
【００４０】
また、画面３Ｂには、画面３Ａと同様に、給油所名及び給油機を示す情報が表示されると共に、画面３Ａを操作することによって決定された決済方法を示す情報が表示される。この例では、決済方法として「携帯端末（スマホ）による決済」が選択されたことを示す情報が表示される。
【００４１】
図３（ｃ）は、給油量を設定するための画面３Ｃを示す。画面３Ｃには、給油量を選択するための給油量設定キーが表示され、表示された給油量設定キーを操作することにより、給油量が決定される。給油量設定キーとしては、例えば、「満タン」キー、「定量」キー、「０」〜「９」及び「円」ならびに「Ｌ（リットル）」を示すテンキーが表示される。「満タン」キーが操作された場合には、給油量が満タンに設定される。「定量」キーが操作された場合には、続けてテンキーが操作されて「０」〜「９」及び「Ｌ」が入力されることにより、所望の給油量が設定される。
【００４２】
尚、この例では図示しないが、所望の金額に応じた給油量を設定することもできる。この場合には、例えば、「定額」キー等の、所望の金額に応じて給油を行うための給油量設定キー（不図示）が表示され、この「定額」キーが操作され、続けてテンキーが操作されて「０」〜「９」及び「円」が入力されることにより、所望の給油金額が設定される。
【００４３】
また、画面３Ｃには、画面３Ｂと同様に、給油所名、決済方法及び給油機を示す情報が表示されると共に、画面３Ｂを操作することによって決定された油種を示す情報が表示される。この例では、油種として「レギュラーガソリン」が選択されたことを示す情報が表示される。
【００４４】
図３（ｄ）は、現在の給油状態を示す情報を表示する画面３Ｄを示す。画面３Ｄには、例えば、選択された油種の単価や、現在給油中の給油量、単価及び給油量に基づく給油金額を示す情報が表示される。
【００４５】
また、画面３Ｄには、画面３Ｃと同様に、給油所名、決済方法、給油機及び油種を示す情報が表示されると共に、画面３Ｃを操作することによって決定された給油量を示す情報が表示される。この例では、給油量として「満タン」が選択されたことを示す情報が表示される。
【００４６】
図３（ｅ）は、給油結果を示す情報を表示する画面３Ｅを示す。画面３Ｅには、給油に関する情報が表示される。給油に関する情報は、例えば、給油年月日、給油金額、給油量、選択された油種の単価である。この例では、給油年月日が「２０１２年２月２４日」、給油金額が「６０７５円」、給油量が「４５．００Ｌ」、単価が「１３５円」であることを示す表示が表示される。尚、この給油設定アプリを所有する会員である顧客は、給油設定アプリを所有しない通常の顧客よりも割引された単価が設定される。
【００４７】
また、ここでは、例えば、走行距離やメモ等のユーザデータを入力することができる。このユーザデータを入力することにより、車両に関する各種情報を管理することができる。
【００４８】
図３（ｆ）は、給油に基づく各種情報を表示する画面３Ｆを示す。ここでは、例えば、給油年月日、料金、１回の給油あたりの走行距離、給油毎の燃費を示す情報が表示される。走行距離及び燃費を示す情報は、例えば、画面３Ｅにおいて入力されたユーザデータに基づき算出されて表示される。
【００４９】
次に、上記構成を有する給油所システム１の動作について、図４〜図６を参照して説明する。この給油所システム１では、給油機２、携帯端末３及びＰＯＳ４が互いに通信を行い、各種データのやりとりを行うことにより、給油設定を行うことができる。
【００５０】
まず、図４に示すフローチャートを参照して、携帯端末３による処理の流れについて説明する。
【００５１】
ステップＳ１において、携帯端末３を所持する顧客の車両２０が給油所１０に進入すると、携帯端末３は、所定の給油機２における通信エリア内であるか否かを判断する。携帯端末３が給油機２の通信エリア内であると判断した場合（ステップＳ１：Ｙｅｓ）、携帯端末３は、例えば、固有の識別情報であるＭＡＣアドレスを、給油機２に対して送信する（ステップＳ２）。ここで、詳細は後述するが、ＰＯＳ４では、給油機２に対して送信されたＭＡＣアドレスに基づく登録者の判断が行われる。そして、顧客が登録済であれば、給油設定アプリのポップアップ画面が表示され、このポップアップ画面をクリックすることで給油設定アプリが起動する。
【００５２】
一方、携帯端末３が給油機２の通信エリア外であると判断した場合（ステップＳ１：Ｎｏ）には、携帯端末３が通信エリア内に入るまで、ステップＳ１の処理を繰り返す。
【００５３】
次に、ステップＳ３では、給油設定アプリが起動入力されたか否かを判断する。給油設定アプリが起動入力されたと判断した場合（ステップＳ３：Ｙｅｓ）には、精算認証情報を生成し、外部の精算会社に対して送信する（ステップＳ４）。一方、給油設定アプリが起動入力されていないと判断した場合（ステップＳ３：Ｎｏ）には、給油設定アプリが起動入力されるまで、ステップＳ３の処理を繰り返す。
【００５４】
次に、携帯端末３を所有する顧客は、給油設定アプリを起動して図３（ａ）〜（ｃ）に示す表示画面に対する操作を順次行い、油種や給油量等の給油設定を行う（ステップＳ５）。そして、給油設定の内容を含む給油設定データを給油機２に対して送信する。
【００５５】
ここで、給油機２において、受信した給油設定データに基づく給油設定が行われると、車両２０に対する給油処理が行われ、現在の給油状態（油種、給油量等）を示す給油中データの受信が可能な状態となる。
【００５６】
ステップＳ６では、給油機２からの給油中データが入力されたか否かを判断する。給油中データが入力されたと判断した場合（ステップＳ６：Ｙｅｓ）には、給油中データに基づき、図３（ｄ）に示すように、現在の給油状態を示す情報（金額、給油量、単価等）を携帯端末３に表示する（ステップＳ７）。一方、給油中データが入力されていないと判断した場合（ステップＳ６：Ｎｏ）には、給油中データが入力されるまで、ステップＳ６の処理を繰り返す。尚、車両２０に対する給油中は、給油の終了を示す給油終了データの受信が可能な状態となる。
【００５７】
ステップＳ８では、給油機２からの給油終了データが入力されたか否かを判断する。給油終了データが入力されたと判断した場合（ステップＳ８：Ｙｅｓ）には、給油終了データに基づき料金を精算するための精算データを生成し、外部の精算会社に対して送信する（ステップＳ９）。一方、給油終了データが入力されていないと判断した場合（ステップＳ８：Ｎｏ）には、給油終了データが入力されるまで、ステップＳ８の処理を繰り返す。
【００５８】
ステップＳ１０では、給油終了データに基づき給油データを自動的に取り込み、図３（ｅ）に示す画面３Ｅを表示する。尚、ここでは、上述したように、給油データの表示と共に走行距離やメモ等の走行データを顧客自身で入力することができる。そして、入力された走行データに基づき、図３（ｆ）に示す画面３Ｆを表示する。
【００５９】
次に、図５に示すフローチャートを参照して、給油機２による処理の流れについて説明する。
【００６０】
給油機２は、携帯端末３から送信されるＭＡＣアドレスの受信が可能な状態とされ、ステップＳ１１において、ＭＡＣアドレスが入力されたか否かを判断する。ＭＡＣアドレスが入力されたと判断した場合（ステップＳ１１：Ｙｅｓ）、給油機２は、登録者判定情報を生成し、ＰＯＳ４に対して送信する（ステップＳ１２）。一方、ＭＡＣアドレスが入力されていないと判断した場合（ステップＳ１１：Ｎｏ）には、ＭＡＣアドレスが入力されるまで、ステップＳ１１の処理を繰り返す。
【００６１】
次に、給油機２は、顧客が給油設定アプリを操作することによって設定される給油設定データの受信が可能な状態となる。そして、ステップＳ１３において、携帯端末３からの給油設定データが入力されたか否かを判断する。給油設定データが入力されたと判断した場合（ステップＳ１３：Ｙｅｓ）、給油機２は、車両２０に対する給油を開始する。一方、給油設定データが入力されていないと判断した場合（ステップＳ１３：Ｎｏ）には、給油設定データが入力されるまで、ステップＳ１３の処理を繰り返す。
【００６２】
ステップＳ１４では、給油機２に設けられたノズルのスイッチがＯＮとされたか否かを判断する。ノズルのスイッチがＯＮとされたと判断した場合（ステップＳ１４：Ｙｅｓ）には、処理がステップＳ１５に移行する。一方、ノズルのスイッチがＯＦＦとされたと判断した場合（ステップＳ１４：Ｎｏ）には、ノズルのスイッチがＯＮとされるまで、ステップＳ１４の処理を繰り返す。
【００６３】
ステップＳ１５では、給油量の表示をリセットして帰零すると共に、給油ポンプを駆動して給油を開始する。次に、給油機２は、流量パルスの有無を判断する（ステップＳ１６）。流量パルスが発生した場合（ステップＳ１６：Ｙｅｓ）には、流量計によって給油量を計数して給油中データを生成し、生成された給油中データを携帯端末３に対して送信する（ステップＳ１７）。一方、流量パルスが発生していない場合（ステップＳ１６：Ｎｏ）には、処理がステップＳ１８に移行する。
【００６４】
次に、給油機２は、ノズルのスイッチがＯＦＦとされたか否かを判断する（ステップＳ１８）。ノズルのスイッチがＯＦＦとされたと判断した場合（ステップＳ１８：Ｙｅｓ）には、給油ポンプを停止させ、給油終了データを生成すると共に、給油量や単価、金額等が表示された給油伝票を発行する（ステップＳ１９）。そして、給油機２は、生成した給油終了データを携帯端末３及びＰＯＳ４に対して送信する。
【００６５】
一方、ノズルのスイッチがＯＦＦとされていないと判断した場合（ステップＳ１８：Ｎｏ）には、処理がステップＳ１６に戻り、ノズルのスイッチがＯＦＦとされるまで、ステップＳ１６及びＳ１７の処理を繰り返す。
【００６６】
次に、図６に示すフローチャートを参照して、ＰＯＳ４による処理の流れについて説明する。
【００６７】
ＰＯＳ４は、給油機２から送信される登録者判定情報の受信が可能な状態とされ、ステップＳ２１において、登録者判定情報が入力されたか否かを判断する。登録者判定情報が入力されたと判断した場合（ステップＳ２１：Ｙｅｓ）には、処理がステップＳ２２に移行する。一方、登録者判定情報が入力されていないと判断した場合（ステップＳ２１：Ｎｏ）には、登録者判定情報が入力されるまで、ステップＳ２１の処理を繰り返す。
【００６８】
次に、ステップＳ２２では、入力された登録者判定情報に基づき、顧客が会員登録済であるか否かを判断する。顧客が会員登録済であると判断した場合（ステップＳ２２：Ｙｅｓ）、ＰＯＳ４は、給油設定アプリを駆動できるように携帯端末３に対してポップアップ信号を送信する（ステップＳ２３）。一方、顧客が会員登録していないと判断した場合（ステップＳ２２：Ｎｏ）には、例えば、給油機２に設けられた表示パネルに会員募集を示す内容の表示や会員登録を促す表示等を表示させる（ステップＳ２６）。
【００６９】
次に、ＰＯＳ４は、給油終了データの受信が可能な状態とされ、ステップＳ２４において、給油終了データが入力されたか否かを判断する。給油終了データが入力されたと判断した場合（ステップＳ２４：Ｙｅｓ）、ＰＯＳ４は、給油終了データに基づき、給油に関する給油データを記憶する（ステップＳ２５）。一方、給油終了データが入力されていないと判断した場合（ステップＳ２４：Ｎｏ）には、給油終了データが入力されるまで、ステップＳ２４の処理を繰り返す。このようにして、各々の顧客による油種や給油量、単価等の給油情報をＰＯＳ４によって管理する。
【００７０】
以上のように、第１の実施形態によれば、携帯端末と給油機との間で通信を行い、給油設定アプリを用いて給油設定や給油データを表示・記憶させるため、給油に関わる情報や走行データ等のユーザデータを携帯端末で管理することができる。これにより、車両管理を携帯端末によって容易に行うことが可能になる。
【００７１】
次に、第２の実施形態による給油所システムについて説明する。この第２の実施形態では、第１の実施形態と同様に、携帯端末に入力された油種や給油量等の給油設定データに基づき、給油機における給油設定を自動的に行う。このとき、第２の実施形態では、携帯端末とＰＯＳとの間で通信を行い、給油機の選択や登録者の判定等を行う。
【００７２】
図７は、第２の実施形態による給油所システム１’を説明するための概略図であり、この給油所システム１’は、１つ又は複数の給油所１０、１０、・・・と、各給油所１０全体を管理する本部３０と、売り上げの管理や給油金額の引き落とし等を行う精算会社４０とからなり、給油所１０、本部３０及び精算会社４０がインターネット等の通信ネットワークを介して互いに接続される。尚、以下の説明において、第１の実施形態と共通する部分については、統一の符号を付し、詳細な説明を省略する。
【００７３】
給油所１０には、１つ又は複数の給油機２’、２’、・・・及びＰＯＳ４’が設置され、専用回線等を用いて互いに通信可能に接続される。この例では、４台の給油機２Ａ’、２Ｂ’、２Ｃ’及び２Ｄ’が設置された場合を示す。尚、以下の説明において、特に区別する必要がない場合には、単に「給油機２’」と称して説明する。
【００７４】
携帯端末３’は、例えば、図示しない送受信手段を備え、ＰＯＳ４’との間で通信を行う。ＰＯＳ４’との通信は、第１の実施形態と同様に、ＷｉＦｉ（登録商標）やＢｌｕｅｔｏｏｔｈ（登録商標）等の無線通信によって行う。
【００７５】
携帯端末３’は、ＰＯＳ４’との間で通信を行う場合に、固有の識別情報であるＭＡＣアドレスをＰＯＳ４’に対して送信する。また、携帯端末３’は、精算会社４０とも通信を行い、精算認証情報や精算データを送信する。
【００７６】
携帯端末３’は、第１の実施形態と同様に、ＰＯＳ４’からダウンロード可能な給油設定アプリを用いて、車両２０に対する給油設定や、給油中の給油量、金額等の表示、給油日時や給油量、給油時点における走行距離等、過去の給油履歴の表示を行う。
【００７７】
給油機２’は、第１の実施形態と同様に、レギュラーガソリン、ハイオクガソリン及び軽油等の複数の油種を給油可能なセルフサービス方式の装置であり、例えば、前面及び背面の各々に給油可能な給油機構（給油ノズル、表示器等）が設けられる。
【００７８】
給油機２’は、携帯端末３’によって設定された給油設定データを、ＰＯＳ４’を介して受信し、受信した給油設定データに基づき、油種や給油量等の給油設定を行い、車両２０に対する給油処理を行う。
【００７９】
また、給油機２’は、第１の実施形態と同様に、車両２０に対する給油中に給油中データを生成すると共に、給油終了時に給油終了データを生成し、ＰＯＳ４’を介して携帯端末３’に送信する。
【００８０】
ＰＯＳ４’は、送受信手段６及び記憶手段７を備え、送受信手段６を介して携帯端末３’との間で通信を行うと共に、顧客の氏名や生年月日等の個人に関する情報や、過去の給油履歴や走行距離等の顧客データを記憶手段７に記憶する。
【００８１】
ＰＯＳ４’は、顧客が給油する際に、携帯端末３’から送信されたＭＡＣアドレスを受信し、ＭＡＣアドレスに基づき顧客が登録済であるか否かの判定を行う。顧客が登録済であると判断した場合には、給油設定アプリを携帯端末３’で駆動可能とするように設定する。
【００８２】
また、ＰＯＳ４’は、第１の実施形態と同様に、給油機２’から受信した給油終了データに基づき、給油データを顧客データと関連付けて記憶手段７に記憶する。
【００８３】
次に、携帯端末３’にダウンロードされた給油設定アプリを起動した際にに表示される画面について、図８を参照して説明する。携帯端末３’では、起動した給油設定アプリを操作する際に、操作に応じて図８（ａ）〜図８（ｇ）に示す画面が表示される。尚、以下の説明において、上述した第１の実施形態と同様の表示画面については、詳細な説明を省略する。
【００８４】
図８（ａ）は、給油を行う給油機を選択するための画面３Ａ’を示す。画面３Ａ’には、給油を行う給油機毎に予め設定された給油番号を選択するための給油機選択キーが表示される。ここでは、１つの給油機の前面及び背面の各々に給油可能な給油機構が設けられる場合について表示されており、例えば、１つの給油機２Ａ’に対して２つの給油機構を示す番号（以下、「給油番号」とする）「２Ａ’−１」及び「２Ａ’−２」が給油機選択キーとして表示される。同様にして、給油機２Ｂ’における給油番号「２Ｂ’−１」及び「２Ｂ’−２」、給油機２Ｃ’における給油番号「２Ｃ’−１」及び「２Ｃ’−２」、給油機２Ｄ’における給油番号「２Ｄ’−１」及び「２Ｄ’−２」が給油機選択キーとして表示される。
【００８５】
顧客は、このように表示された給油機選択キーのうちいずれかを選択することにより、給油する際に使用する給油機を決定することができる。給油選択キーの表示は、給油所１０内に設置された給油機２’の位置と対応するように表示され、例えば、給油番号「２Ａ’−１」を選択した場合には、給油機として給油機２Ａ’の一方の給油機構が選択される。
【００８６】
また、画面３Ａ’には、給油機選択キー以外に、給油所の名称を示す情報が表示される。この例では、給油所の名称が「タツノ給油所」であることを示す情報が表示される。
【００８７】
図８（ｂ）は、給油の決済方法を選択するための画面３Ｂ’を示す。画面３Ｂ’には、第１の実施形態における画面３Ａ（図３（ａ））と同様に、１つ又は複数の決済選択キーや、給油を行う給油機２’を示す情報、給油所の名称を示す情報が表示される。この例では、給油対象となる給油機が「給油機２Ａ’−１」であることを示す情報が表示される。
【００８８】
図８（ｃ）は、油種を選択するための画面３Ｃ’を示す。画面３Ｃ’には、第１の実施形態における画面３Ｂ（図３（ｂ））と同様に、複数の油種選択キーや、給油所名及び給油機を示す情報、画面３Ｂ’を操作することによって決定された決済方法を示す情報が表示される。この例では、決済方法として「携帯端末（スマホ）による決済」が選択されたことを示す情報が表示される。
【００８９】
図８（ｄ）は、給油量を設定するための画面３Ｄ’を示す。画面３Ｄ’には、第１の実施形態における画面３Ｃ（図３（ｃ））と同様に、給油量設定キーや、給油所名、決済方法及び給油機を示す情報、画面３Ｃ’を操作することによって決定された油種を示す情報が表示される。この例では、油種として「レギュラーガソリン」が選択されたことを示す情報が表示される。
【００９０】
図８（ｅ）は、現在の給油状態を示す情報を表示する画面３Ｅ’を示す。画面３Ｅ’には、第１の実施形態における画面３Ｄ（図３（ｄ））と同様に、例えば、選択された油種の単価や、現在給油中の給油量、単価及び給油量に基づく給油金額を示す情報が表示されると共に、給油所名、決済方法、給油機及び油種を示す情報、画面３Ｄ’を操作することによって決定された給油量を示す情報が表示される。この例では、給油量として「満タン」が選択されたことを示す情報が表示される。
【００９１】
図８（ｆ）は、給油結果を示す情報を表示する画面３Ｆ’を示す。画面３Ｆ’には、第１の実施形態における画面３Ｅ（図３（ｅ））と同様に、給油に関する情報（給油年月日、給油金額、給油量、選択された油種の単価等）が表示される。この例では、給油年月日が「２０１２年２月２４日」、給油金額が「６０７５円」、給油量が「４５．００Ｌ」、単価が「１３５円」であることを示す表示が表示される。また、ここでは、例えば、走行距離やメモ等のユーザデータを入力することができる。
【００９２】
図８（ｇ）は、給油に基づく各種情報を表示する画面３Ｇ’を示す。ここでは、第１の実施形態における画面３Ｆ（図３（ｆ））と同様に、例えば、給油年月日、料金、１回の給油あたりの走行距離、給油毎の燃費を示す情報が表示される。
【００９３】
次に、上記構成を有する給油所システム１’の動作について、図９〜図１１を参照して説明する。まず、図９に示すフローチャートを参照して、携帯端末３’による処理の流れについて説明する。
【００９４】
ステップＳ３１において、携帯端末３’を所持する顧客の車両２０が給油所１０に進入すると、携帯端末３’は、給油所１０の通信エリア内であるか否かを判断する。携帯端末３が給油所１０の通信エリア内であると判断した場合（ステップＳ３１：Ｙｅｓ）、携帯端末３は、固有の識別情報であるＭＡＣアドレスを、ＰＯＳ４’に対して送信する（ステップＳ３２）。ここで、詳細は後述するが、ＰＯＳ４’では、受信したＭＡＣアドレスに基づく登録者の判断が行われる。そして、顧客が登録済であれば、給油設定アプリのポップアップ画面が表示され、このポップアップ画面をクリックすることで給油設定アプリが起動する。
【００９５】
一方、携帯端末３’が給油所１０の通信エリア外であると判断した場合（ステップＳ３１：Ｎｏ）には、携帯端末３’が通信エリア内に入るまで、ステップＳ３１の処理を繰り返す。
【００９６】
次に、ステップＳ３３では、給油設定アプリが起動入力されたか否かを判断する。給油設定アプリが起動入力されたと判断した場合（ステップＳ３３：Ｙｅｓ）には、精算認証情報を生成し、外部の精算会社に対して送信する（ステップＳ３４）。一方、給油設定アプリが起動入力されていないと判断した場合（ステップＳ３３：Ｎｏ）には、給油設定アプリが起動入力されるまで、ステップＳ３３の処理を繰り返す。
【００９７】
次に、携帯端末３’を所有する顧客は、給油設定アプリを起動して図８（ａ）〜（ｄ）に示す表示画面に対する操作を順次行い、油種や給油量等の給油設定を行う（ステップＳ３５）。そして、給油設定の内容を含む給油設定データを給油機２’に対して送信する。
【００９８】
ここで、給油機２’において、受信した給油設定データに基づく給油設定が行われると、車両２０に対する給油処理が行われ、給油中データの受信が可能な状態となる。
【００９９】
ステップＳ３６では、給油機２’からの給油中データが入力されたか否かを判断する。給油中データが入力されたと判断した場合（ステップＳ３６：Ｙｅｓ）には、給油中データに基づき、図８（ｅ）に示すように、現在の給油状態を示す情報（金額、給油量、単価等）を携帯端末３’に表示する（ステップＳ３７）。一方、給油中データが入力されていないと判断した場合（ステップＳ３６：Ｎｏ）には、給油中データが入力されるまで、ステップＳ３６の処理を繰り返す。尚、車両２０に対する給油中は、給油終了データの受信が可能な状態となる。
【０１００】
ステップＳ３８では、給油機２’からの給油終了データが入力されたか否かを判断する。給油終了データが入力されたと判断した場合（ステップＳ３８：Ｙｅｓ）には、給油終了データに基づき精算データを生成し、外部の精算会社に対して送信する（ステップＳ３９）。一方、給油終了データが入力されていないと判断した場合（ステップＳ３８：Ｎｏ）には、給油終了データが入力されるまで、ステップＳ３８の処理を繰り返す。
【０１０１】
ステップＳ４０では、図８（ｆ）に示す画面３Ｆ’を表示する。ここでは、上述したように、給油データの表示と共に走行距離やメモ等の走行データを顧客自身で入力することができる。そして、入力された走行データに基づき、図３（ｇ）に示す画面３Ｇ’を表示する。
【０１０２】
次に、図１０に示すフローチャートを参照して、ＰＯＳ４’による処理の流れについて説明する。
【０１０３】
ＰＯＳ４’は、携帯端末３’から送信されるＭＡＣアドレスの受信が可能な状態とされ、ステップＳ４１において、ＭＡＣアドレスが入力されたか否かを判断する。ＭＡＣアドレスが入力されたと判断した場合（ステップＳ４１：Ｙｅｓ）には、処理がステップＳ４２に移行する。一方、ＭＡＣアドレスが入力されていないと判断した場合（ステップＳ４１：Ｎｏ）には、ＭＡＣアドレスが入力されるまで、ステップＳ４１の処理を繰り返す。
【０１０４】
次に、ステップＳ４２では、入力されたＭＡＣアドレスに基づき、顧客が会員登録済であるか否かを判断する。顧客が会員登録済であると判断した場合（ステップＳ４２：Ｙｅｓ）、ＰＯＳ４’は、給油設定アプリを駆動できるように携帯端末３’に対してポップアップ信号を送信する（ステップＳ４３）。一方、顧客が会員登録していないと判断した場合（ステップＳ４２：Ｎｏ）には、例えば、給油機２’に設けられた表示パネルに会員募集を示す内容の表示や会員登録を促す表示等を表示させる（ステップＳ４６）。
【０１０５】
次に、ＰＯＳ４’は、給油終了データの受信が可能な状態とされ、ステップＳ４４において、給油終了データが入力されたか否かを判断する。給油終了データが入力されたと判断した場合（ステップＳ４４：Ｙｅｓ）、ＰＯＳ４’は、給油終了データに基づき給油データを記憶する（ステップＳ４５）。一方、給油終了データが入力されていないと判断した場合（ステップＳ４４：Ｎｏ）には、給油終了データが入力されるまで、ステップＳ４４の処理を繰り返す。このようにして、各々の顧客による油種や給油量、単価等の給油情報をＰＯＳ４’によって管理する。
【０１０６】
次に、図１１に示すフローチャートを参照して、給油機２’による処理の流れについて説明する。
【０１０７】
給油機２’は、給油設定データの受信が可能な状態とされ、ステップＳ５１において、携帯端末３’からの給油設定データがＰＯＳ４’を介して入力されたか否かを判断する。給油設定データが入力されたと判断した場合（ステップＳ５１：Ｙｅｓ）、給油機２’は、車両２０に対する給油を開始する。一方、給油設定データが入力されていないと判断した場合（ステップＳ５１：Ｎｏ）には、給油設定データが入力されるまで、ステップＳ５１の処理を繰り返す。
【０１０８】
ステップＳ５２では、給油機２’に設けられたノズルのスイッチがＯＮとされたか否かを判断する。ノズルのスイッチがＯＮとされたと判断した場合（ステップＳ５２：Ｙｅｓ）には、処理がステップＳ５３に移行する。一方、ノズルのスイッチがＯＦＦとされたと判断した場合（ステップＳ５２：Ｎｏ）には、ノズルのスイッチがＯＮとされるまで、ステップＳ５２の処理を繰り返す。
【０１０９】
ステップＳ５３では、給油量の表示をリセットして帰零すると共に、給油ポンプを駆動して給油を開始する。次に、給油機２’は、流量パルスの有無を判断する（ステップＳ５４）。流量パルスが発生した場合（ステップＳ５４：Ｙｅｓ）には、流量計によって給油量を計数して給油中データを生成し、生成された給油中データを携帯端末３’に対して送信する（ステップＳ５５）。一方、流量パルスが発生していない場合（ステップＳ５４：Ｎｏ）には、処理がステップＳ５６に移行する。
【０１１０】
次に、給油機２’は、ノズルのスイッチがＯＦＦとされたか否かを判断する（ステップＳ５６）。ノズルのスイッチがＯＦＦとされたと判断した場合（ステップＳ５６：Ｙｅｓ）には、給油ポンプを停止させ、給油終了データを生成すると共に給油伝票を発行する（ステップＳ５７）。そして、給油機２’は、生成した給油終了データを携帯端末３’及びＰＯＳ４’に対して送信する。
【０１１１】
一方、ノズルのスイッチがＯＦＦとされていないと判断した場合（ステップＳ５６：Ｎｏ）には、処理がステップＳ５４に戻り、ノズルのスイッチがＯＦＦとされるまで、ステップＳ５４及びＳ５５の処理を繰り返す。
【０１１２】
以上のように、第２の実施形態によれば、携帯端末とＰＯＳとの間で通信を行い、第１の実施形態と同様に、給油設定アプリを用いて給油設定や給油データを表示・記憶させるため、給油に関わる情報や走行データ等のユーザデータを携帯端末で管理することができる。これにより、車両管理を携帯端末によって容易に行うことが可能になる。
【０１１３】
以上、本発明の第１及び第２の実施形態について説明したが、本発明は、上述した本発明の第１及び第２の実施形態に限定されるものではなく、本発明の要旨を逸脱しない範囲内で様々な変形や応用が可能である。例えば、第１及び第２の実施形態では、顧客データをＰＯＳに記憶して管理するように説明したが、これに限られず、各給油所全体を管理する本部で一元管理してもよい。また、例えば、携帯端末及び給油機との通信をＰＯＳではなく本部と行うようにすることにより、各給油所におけるＰＯＳの設置が不要となる。
【０１１４】
また、例えば、給油料金の精算を携帯端末による決済のみとすれば、給油所毎や給油機毎の精算機の設置が不要になる。
【符号の説明】
【０１１５】
１、１’  給油所システム
２（２Ａ、２Ｂ、２Ｃ、２Ｄ）  給油機
２’（２Ａ’、２Ｂ’、２Ｃ’、２Ｄ’）  給油機
３、３’  携帯端末
３Ａ、３Ｂ、３Ｃ、３Ｄ、３Ｅ、３Ｆ  画面
３Ａ’、３Ｂ’、３Ｃ’、３Ｄ’、３Ｅ’、３Ｆ’、３Ｇ’  画面
４、４’  ＰＯＳ
５、６  送受信手段
７  記憶手段
１０  給油所
２０  車両
３０  本部
４０  精算会社
【図１】
2013216332.tif 000003
【図２】
2013216332.tif 000004
【図３】
2013216332.tif 000005
【図４】
2013216332.tif 000006
【図５】
2013216332.tif 000007
【図６】
2013216332.tif 000008
【図７】
2013216332.tif 000009
【図８】
2013216332.tif 000010
【図９】
2013216332.tif 000011
【図１０】
2013216332.tif 000012
【図１１】
2013216332.tif 000013